(57)【要約】【課題】バックフリップカバーが容易に脱落しないＦＰＣ用のコネクタを提供する。【解決手段】コネクタ１０は、ＦＰＣ１が挿入される開口２１及び段差２２が形成されるハウジング２と、段差２２を開閉するバックフリップカバー３と、を備える。ハウジング２はコンタクト４・５を交互に並設配置する。コンタクト４・５は、固定アーム４１．５１と、弾性アーム４２・５２と、固定アーム４１．５１及び弾性アーム４２・５２を連結する連結脚４３・５３と、弾性アーム４２・５２と相反する向きに延びる係合アーム４４・５４を有する。係合アーム４４は段差２２の底面と反対方向に延びる受け部４４ａを有する。第２係合アーム５４は段差２２の底面に延びる押さえ部５４ａを有する。バックフリップカバー３は、受け部４４ａと係合する係合部３４と、押さえ部５４ａに押さえられる支持部３５と、を有する。【選択図】図１８
2008300340.tif 000002
【特許請求の範囲】
【請求項１】
一方の端部にＦＰＣが挿入される開口が形成され、他方の端部に段差が形成された直方体状のハウジングと、前記ハウジングの段差を開閉可能に覆う矩形板状のバックフリップカバーと、を備えるコネクタであって、
前記ハウジングは、交互に並設配置される第１コンタクト及び第２コンタクトを内部に備え、
前記第１コンタクトは、前記ハウジングに固定される第１固定アームと、この第１固定アームに対向する第１弾性アームと、前記第１固定アーム及び前記第１弾性アームの基端同士を連結する第１連結脚と、前記第１弾性アームと相反する向きに延びる第１係合アームを有し、
前記第２コンタクトは、前記ハウジングに固定される第２固定アームと、この第２固定アームに対向する第２弾性アームと、前記第２固定アーム及び前記第２弾性アームの基端同士を連結する第２連結脚と、前記第２弾性アームと相反する向きに延びる第２係合アームと、を有し、
前記第１係合アームは、前記ハウジングの段差の底面と反対方向に延びる受け部を先端側に有し、
前記第２係合アームは、前記ハウジングの段差の底面に延びる押さえ部を先端側に有し、
前記バックフリップカバーは、前記ハウジングの段差の底面側に延びて前記第１係合アームの受け部と係合する係合部と、前記第２係合アームの押さえ部と前記ハウジングの段差の底面との間に位置して前記第２係合アームの押さえ部に押さえられる支持部と、を有し、
前記係合部は、前記バックフリップカバーを開くと前記受け部に当接して前記第１弾性アームの先端部を前記第１固定アームに対して開き、前記バックフリップカバーを閉じると前記受け部を押して前記第１弾性アームの先端部を前記第１固定アームに対して閉じる第１カム面を設け、
前記支持部は、前記バックフリップカバーを開くと前記押さえ部に対向して前記第２弾性アームの先端部を前記第２固定アームに対して開き、前記バックフリップカバーを閉じると前記押さえ部を押して前記第２弾性アームの先端部を前記第２固定アームに対して閉じる第２カム面を設けているコネクタ。
【請求項２】
前記バックフリップカバーは、前記第１係合アームの受け部を介して前記係合部に対向する対向壁を有し、
この対向壁は、当該バックフリップカバーが閉じられると前記第１係合アームの受け部を前記ハウジングの段差の底面から遠ざかる方向に押している請求項１記載のコネクタ。
【請求項３】
前記第２カム面は、前記バックフリップカバーを開くと前記第２係合アームの押さえ部に対向する平坦な第１輪郭部と、前記バックフリップカバーを閉じると前記第２係合アームの押さえ部を前記ハウジングの段差の底面から遠ざかる方向に押す平坦な第２輪郭部と、を設けている請求項１記載のコネクタ。
【請求項４】
前記第１コンタクトは、前記ハウジングの段差から前記ＦＰＣの挿入方向に延出して底面がプリント基板にハンダ接合される第１リード部を有し、
前記第２コンタクトは、前記ハウジングの開口から前記ＦＰＣの反挿入方向に延出して底面が前記プリント基板にハンダ接合される第２リード部を有する請求項１から３のいずれかに記載のコネクタ。
【請求項５】
前記第１固定アームは、前記第１弾性アームに対向する第３弾性アームを有し、
前記第２固定アームは、前記第２弾性アームに対向する第４弾性アームを有する請求項１から４のいずれかに記載のコネクタ。
【請求項６】
前記ハウジングは、前記ＦＰＣの端部が載置される段差を前記開口に設けている請求項１から５のいずれかに記載のコネクタ。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などの平形柔軟ケーブルと接続するコネクタに関する。本明細書は平形柔軟ケーブルを総称してＦＰＣと呼称することとし、本発明は、特に、ＦＰＣの挿抜時にほとんど力を必要としない、いわゆるＺＩＦ（Ｚｅｒｏ  Ｉｎｓｅｒｔｉｏｎ  Ｆｏｒｃｅ）タイプのＦＰＣ用のコネクタに関する。
【背景技術】
【０００２】
近年の電子機器、例えば、ＤＶＣ（Ｄｉｇｉｔａｌ  Ｖｉｄｅｏ  Ｃａｍｅｒａ）及びＤＳＣ（Ｄｉｇｉｔａｌ  Ｓｔｉｌｌ  Ｃａｍｅｒａ）や携帯電話機とＰＤＡ（Ｐｅｒｓｏｎａｌ  Ｄｉｇｉｔａｌ  Ａｓｓｉｓｔａｎｃｅ）に代表される携帯型情報機器に実装される電子部品モジュールやプリント基板間を接続するには、平型柔軟ケーブルであるＦＰＣが使用されている。
【０００３】
プリント基板に表面実装されるＦＰＣ用のコネクタ、いわゆる表面実装型のＦＰＣ用のコネクタは、ＦＰＣが挿入される凹部が形成されたハウジングと、このハウジングに所定のピッチで横並びに装着された複数のコンタクトを備えている。そして、ＦＰＣとこれらのコンタクトとを接触させるために、ＦＰＣ用のコネクタは、凹部を開閉するカバーを備えている。
【０００４】
プリント基板に表面実装されるＦＰＣ用のコネクタは実装密度を上げるべく、実装高さを低くすること（低背化）が求められており、この表面実装型のＦＰＣ用のコネクタに配列されるコンタクトも多ピン化、狭ピッチ化が進行している。このような低背化を可能とするＦＰＣ用のコネクタが発明されている（例えば、特許文献１参照）。
【０００５】
特許文献１によるＦＰＣ用のコネクタは、コンタクトがハウジングに開口された凹部に臨むアーム部を備えている。回動案内部は、アーム部の上縁で凹状をなし、下縁で凸状をなしている。そして、回動案内部は、互に同心の上案内面と下案内面を有している。加圧部材（カバー）は、所定位置に向けた回動に伴い次第に回動案内部を受け入れて行くスリット状の受入溝が形成されている。回動被案内部は、上案内面及び下案内面にそれぞれ接する受入溝の対向せる凸円弧状の上内縁及び直状の下内縁を有している。そして、加圧部が下内縁の接触子側端部と回動中心を結ぶ線に寄って位置している。
【０００６】
一方、操作性に優れ、ＦＰＣの確実な装着が可能なＦＰＣ用のコネクタも発明されている（例えば、特許文献２参照）。
【０００７】
特許文献２によるＦＰＣ用のコネクタは、ＦＰＣの挿入口とは反対側の開口部に設けられた回動部材（カバー）が回動の始点位置にあるときには、回動部材の圧接部が、接触子の隅部の周縁に当接しておらず、ＦＰＣの挿抜が自由な開放状態である。回動部材を回動操作することより、回動部材の圧接部が接触子の隅部の周縁を加圧して弾性変形させて、接触部をＦＰＣに圧接する。回動の終点位置では、回動部材の圧接部が接触子の隅部の頂点を乗り越えた状態となって接触子の弾性復元力によって、接続状態を維持させる方向への力が作用するようにしている。
【特許文献１】特開平１１−５４２１８号公報
【特許文献２】特開平１１−３１５６１号公報
【発明の開示】
【発明が解決しようとする課題】
【０００８】
特許文献１によるＦＰＣ用のコネクタは、ハウジングに実装された二股コンタクトの上アームがカバーを回動可能に支持している。そして、カバーを閉じると、カバーがＦＰＣを下アームに押圧して、ＦＰＣと接続される。特許文献１によるＦＰＣ用のコネクタは、いわゆる、回転式フリップロックカバーを採用しているため、カバー操作を容易としている。しかし、近年の電子機器は内部が過密に実装されており、ＦＰＣが屈曲されて配線されているので、回転式フリップロックカバーが開く方向に力が働くという問題がある。つまり、ＦＰＣとの接続状態が不安定になることが懸念される。
【０００９】
一方、特許文献２によるＦＰＣ用のコネクタは、いわゆる、バックフリップタイプのロックカバーを採用しているため、プリント基板への実装占有面積は拡大するが、ＦＰＣが屈曲されて配線されても、ロックカバーが容易に開かないという利点がある。
【００１０】
しかし、前述したように、表面実装型のＦＰＣ用のコネクタは、低背化と共に多ピン化、狭ピッチ化が進行している。特許文献２によるＦＰＣ用のコネクタは、例えば、７５ピン程度の極数になると、ロックカバーの回動中心が長手方向の中央部でコンタクトとの係合が解除されることが懸念される。
【００１１】
特許文献２によるＦＰＣ用のコネクタにおいて、ロックカバーの回動中心は、両翼が補強部材で回動可能に支持されているが、ロックカバーを開状態から閉状態に回動するために中央部を押すと、回動に至らず弾性変形するため、コンタクトとの係合が解除されることが懸念される。したがって、ロックカバーが容易に脱落しないバックフリップタイプのＦＰＣ用のコネクタが求められる。ロックカバーの回動中心を両翼で回動可能に支持する補強部材が不要な構造であれば、部品点数が削減されて好ましい。そして、以上のことが本発明の課題といってよい。
【００１２】
本発明は、このような問題に鑑みてなされたものであり、ロックカバーが容易に脱落しないバックフリップタイプのＦＰＣ用のコネクタであって、ロックカバーの回動中心を両翼で回動可能に支持する補強部材を不要とするコネクタを提供することを目的とする。
【課題を解決するための手段】
【００１３】
発明者は、上記目的を満たすため、ハウジングは、交互に並設配置される第１及び第２コンタクトを備え、カバーハウジングの仮想の開閉軸を撓ませないように、開閉軸の撓み方向に抗して開閉軸を挟持する複数の第１及び第２コンタクトをハウジングに交互に並列配置する構造とし、以下のような新たなＦＰＣ用のコネクタを発明した。
【００１４】
（１）  一方の端部にＦＰＣが挿入される開口が形成され、他方の端部に段差が形成された直方体状のハウジングと、前記ハウジングの段差を開閉可能に覆う矩形板状のバックフリップカバーと、を備えるコネクタであって、前記ハウジングは、交互に並設配置される第１コンタクト及び第２コンタクトを内部に備え、前記第１コンタクトは、前記ハウジングに固定される第１固定アームと、この第１固定アームに対向する第１弾性アームと、前記第１固定アーム及び前記第１弾性アームの基端同士を連結する第１連結脚と、前記第１弾性アームと相反する向きに延びる第１係合アームを有し、前記第２コンタクトは、前記ハウジングに固定される第２固定アームと、この第２固定アームに対向する第２弾性アームと、前記第２固定アーム及び前記第２弾性アームの基端同士を連結する第２連結脚と、前記第２弾性アームと相反する向きに延びる第２係合アームと、を有し、前記第１係合アームは、前記ハウジングの段差の底面と反対方向に延びる受け部を先端側に有し、前記第２係合アームは、前記ハウジングの段差の底面に延びる押さえ部を先端側に有し、前記バックフリップカバーは、前記ハウジングの段差の底面側に延びて前記第１係合アームの受け部と係合する係合部と、前記第２係合アームの押さえ部と前記ハウジングの段差の底面との間に位置して前記第２係合アームの押さえ部に押さえられる支持部と、を有し、前記係合部は、前記バックフリップカバーを開くと前記受け部に当接して前記第１弾性アームの先端部を前記第１固定アームに対して開き、前記バックフリップカバーを閉じると前記受け部を押して前記第１弾性アームの先端部を前記第１固定アームに対して閉じる第１カム面を設け、前記支持部は、前記バックフリップカバーを開くと前記押さえ部に対向して前記第２弾性アームの先端部を前記第２固定アームに対して開き、前記バックフリップカバーを閉じると前記押さえ部を押して前記第２弾性アームの先端部を前記第２固定アームに対して閉じる第２カム面を設けているコネクタ。
【００１５】
（１）の発明によるコネクタは、直方体状のハウジングと矩形板状のバックフリップカバーを備えている。ハウジングは、一方の端部にＦＰＣが挿入される開口が形成され、他方の端部に段差が形成されている。そして、ハウジングは、交互に並設配置される第１コンタクト及び第２コンタクトを内部に備えている。
【００１６】
第１コンタクトは、第１固定アーム、第１弾性アーム、第１連結脚、及び第１係合アームを有している。第１固定アームはハウジングに固定されている。第１弾性アームは第１固定アームに対向している。第１連結脚は、第１固定アーム及び第１弾性アームの基端同士を連結している。第１係合アームは、第１弾性アームと相反する向きに延びている。
【００１７】
第２コンタクトは、第２固定アーム、第２弾性アーム、第２連結脚、及び第２係合アームを有している。第２固定アームはハウジングに固定されている。第２弾性アームは第２固定アームに対向している。第２連結脚は、第２固定アーム及び第２弾性アームの基端同士を連結している。第２係合アームは、第２弾性アームと相反する向きに延びている。
【００１８】
第１係合アームは、ハウジングの段差の底面と反対方向に延びる受け部を先端側に有している。第２係合アームは、ハウジングの段差の底面に延びる押さえ部を先端側に有している。又、バックフリップカバーは係合部と支持部を有している。係合部は、ハウジングの段差の底面側に延びて、第１係合アームの受け部と係合する。支持部は、第２係合アームの押さえ部とハウジングの段差の底面との間に位置して押さえ部に押さえられる。
【００１９】
係合部は、第１カム面を設けている。第１カム面は、バックフリップカバーを開くと、受け部に当接して第１弾性アームの先端部を第１固定アームに対して開いている。一方、第１カム面は、バックフリップカバーを閉じると、受け部を押して第１弾性アームの先端部を第１固定アームに対して閉じている。
【００２０】
支持部は、第２カム面を設けている。第２カム面は、バックフリップカバーを開くと、押さえ部に対向して第２弾性アームの先端部を第２固定アームに対して開いている。一方、第２カム面は、バックフリップカバーを閉じると、押さえ部を押して第２弾性アームの先端部を第２固定アームに対して閉じている。
【００２１】
一般に、ＦＰＣは、絶縁性のポリエステルやポリイミドで形成されるベースフィルムに導体パターンとなる銅箔が接着されている。導体パターンは絶縁被膜で被覆されているが、ＦＰＣの端部は、例えば、コネクタに備わるコンタクトと導電接触するために導体パターンが露出している。本発明によるコネクタに適用されるＦＰＣは、ベースフィルムの両側に導体パターンが備わる両面ＦＰＣが好ましく、両面ＦＰＣの端部はベースフィルムの両側に導体パターンが露出している。
【００２２】
ハウジングは絶縁性を有してよく、絶縁性のハウジングとは、非導電性の材料からなるハウジングのことであってよく、例えば、合成樹脂を成型して、所望の形状の絶縁性のハウジングを得ることができる。
【００２３】
ハウジングは、ＦＰＣが挿入されるために、一方の端部に長方形の開口を有してよく、薄直方体状の閉じられた凹部にＦＰＣが挿入される。ＦＰＣは、凹部の開口側から停止壁に向って挿入されてよく、この凹部を形成する対向する一対の内壁がＦＰＣの幅方向を案内して、複数の第１及び第２コンタクトと位置合わせされる。ハウジングの凹部に挿入されたＦＰＣは、停止壁に当接して停止してよく、ＦＰＣの挿入深さが規定される。停止壁には、複数の第１及び第２連結脚が配置されてよく、櫛の歯状に極間壁が形成される。
【００２４】
ハウジングの凹部には、第１固定アームと第１弾性アームが対向配置されてよく、第２固定アームと第２弾性アームが対向配置されてよく、後述するように、バックフリップカバーを開いた状態では、第１固定アームと第１弾性アームは開いてよく、第２固定アームと第２弾性アームは開いてよく、このコネクタは、ＦＰＣを開口に挿抜するときにほとんど力を必要としない、ＺＩＦコネクタを構成している。
【００２５】
バックフリップカバーは絶縁性を有してよく、絶縁性のバックフリップカバーとは、非導電性の材料からなるバックフリップカバーのことであってよく、例えば、合成樹脂を成型して、所望の形状の絶縁性のバックフリップカバーを得ることができる。
【００２６】
バックフリップカバーが段差を開閉可能に覆うとは、ＦＰＣが挿入されるべく、段差を覆うバックフリップカバーを開いてよく、複数の第１及び第２コンタクトとＦＰＣが導電接触すべく、バックフリップカバーが閉じて、段差を覆うことを意味している。カバーハウジングが閉じたときに、閉姿勢を維持するために、このコネクタにロック機構を設けてもよい。
【００２７】
ハウジングには、他方の端部の段差から凹部の開口に向けて、縦長の矩形溝（スリット）が櫛の歯状に複数形成されてよく、この矩形溝に第１コンタクトが配置される。又、ハウジングには、一方の端部の開口から段差に向けて、縦長の矩形溝（スリット）が櫛の歯状に複数形成されてよく、この矩形溝に第２コンタクトが配置される。第１コンタクトと第２コンタクトとは、交互に並設配置される。
【００２８】
例えば、これら縦長の矩形溝には、第１及び第２コンタクトの挿入を容易するため、挿入側に僅かに傾斜する面取りを形成してよく、面取り以降の矩形溝の幅は、第１及び第２コンタクトの板厚より僅かに広くなっており、第１及び第２固定アームを除く部位がハウジングに傾動可能に配置されるといってもよい。第１及び第２コンタクトの挿入端部には、バーブ（刺）を形成してよく、このバーブが矩形溝の終端に食い込むように圧入される。
【００２９】
第１及び第２コンタクトは、導通を有してよく、導通を有するコンタクトとは、導電性の材料からなるコンタクトのことであってよく、例えば、銅合金板が精密打ち抜き加工されて、所望の形状のコンタクトを得ることができる。
【００３０】
第１及び第２固定アームと第１及び第２弾性アームとは、２本のアームによって向かい合った方向に接触力を加える音叉形をした、いわゆる音叉形コンタクトであってよく、音叉形コンタクトは二股コンタクトとも呼ばれる。第１及び第２固定アームと第１及び第２弾性アームとは、互いに向かい合う突起を設けてよく、これら突起にＦＰＣが挟持されて、接触力を加えることができる。そして、いずれか一方の突起をＦＰＣに接続する接点とすることができる。
【００３１】
第１係合アームの受け部は、半円弧を設ける半月形に形成されてよく、この半円弧に係合部が係合する。係合部は偏心した円板カムの第１カム面を設けてよく、第１係合アームの受け部とバックフリップカバーの係合部とは、カム装置（平面カム）を構成する。
【００３２】
第２係合アームの押さえ部は、第２弾性アームと相反する向きに片持ち梁状に突出してよく、押さえ部に支持部が押さえられる。支持部は押さえ部を付勢する第２カム面を設けてよく、第２係合アームの押さえ部とバックフリップカバーの支持部とは、カム装置（平面カム）を構成する。
【００３３】
バックフリップカバーの係合部は、仮想の回転中心を有してよく、バックフリップカバーを開くと、係合部の第１カム面は受け部に当接して、第１弾性アームの先端部を第１固定アームに対して開いている。そして、ＦＰＣを無負荷で挿入できる。
【００３４】
バックフリップカバーを閉じると、係合部が受け部を押して弾性アームを傾けることができる。つまり、第１連結脚が弾性変形して、第１弾性アームの先端部を第１固定アームに対して閉じることができる。そして、ＦＰＣを挟持できる。ここで、第１弾性アームと第１係合アームとは一体に傾いてよく、第１連結脚を支点としてよく、受け部を力点としてよく、第１弾性アームの先端部を作用点とすることができる。バックフリップカバーを開くと、第１連結脚が弾性復帰して第１弾性アームの先端部を第１固定アームに対して開くことができる。
【００３５】
バックフリップカバーの支持部は、仮想の回転中心を有してよく、バックフリップカバーが開いた状態では、支持部の第２カム面の第１輪郭部（平坦部）は、押さえ部に対向している（僅かに離間している）。第２弾性アームの先端部は第２固定アームに対して開いている。そして、ＦＰＣを無負荷で挿入できる。
【００３６】
バックフリップカバーを閉じると、支持部の第２カム面の第２輪郭部（平坦部）が押さえ部を段差の底面と反対側に押して第２弾性アームを傾けることができる。つまり、第２連結脚が弾性変形して、第２弾性アームの先端部を第２固定アームに対して閉じることができる。そして、ＦＰＣを挟持できる。第２弾性アームと第２係合アームとは一体に傾いてよく、第２連結脚を支点としてよく、受け部を力点としてよく、第２弾性アームの先端部を作用点とすることができる。バックフリップカバーを開くと、第２連結脚が弾性変形して、第２弾性アームの先端部を第２固定アームに対して閉じることができる。
【００３７】
バックフリップカバーを開いた状態で、バックフリップカバーを押すと、係合部が受け部に保持されているので、バックフリップカバーは回転する運動のみが許容される。バックフリップカバーを開いた状態で、係合部が受け部から離反する力が作用すると、支持部が押え部によって押さえられているので、バックフリップカバーの離脱が阻止される。
【００３８】
（１）の発明によるコネクタは、バックフリップカバーの仮想の開閉軸を第１コンタクトの受け部と第２コンタクトの押さえ部とで交互に保持しているので、仮想の開閉軸が軸方向の中央部で容易に弾性変形しない。すなわち、多極のコネクタであっても、ロックカバーが容易に脱落しないバックフリップタイプのＦＰＣ用のコネクタを提供できる。
【００３９】
又、（１）の発明によるコネクタは、バックフリップカバーが第１コンタクトの受け部と第２コンタクトの押さえ部とで交互に保持される仮想の回動軸を有しているので、従来のような、ロックカバーの回動中心の両翼を回動可能に支持する一対の補強部材を不要とするコネクタを提供できる。
【００４０】
（２）  前記バックフリップカバーは、前記第１係合アームの受け部を介して前記係合部に対向する対向壁を有し、この対向壁は、当該バックフリップカバーが閉じられると前記第１係合アームの受け部を前記ハウジングの段差の底面から遠ざかる方向に押している（１）記載のコネクタ。
【００４１】
（２）の発明によるコネクタは、バックフリップカバーが対向壁を有している。対向壁は、第１係合アームの受け部を介して係合部に対向している。バックフリップカバーが閉じられると、対向壁は、第１係合アームの受け部をハウジングの段差の底面から遠ざかる方向に押している。
【００４２】
バックフリップカバーには、縦長の第１矩形溝と縦長の第２矩形溝とが交互に形成されてよく、第１矩形溝の終端には、円弧状の係合部が形成される。そして、バックフリップカバーには、受け部に対向する対向壁が形成される。一方、第２矩形溝の終端には、Ｌ字状の支持部が形成される。そして、バックフリップカバーには、押さえ部に対向する対向壁が形成される。
【００４３】
バックフリップカバーが閉じることによって、受け部の底面と段差の底面との間に対向壁が入り込んでよく、受け部を段差の底面から遠ざかる方向に移動させることができる。すなわち、対向壁は、係合部と協働して受け部を変位することができる。又、この対向壁は、受け部に付勢されてバックフリップカバーを段差の底面に当接させる機能も有している。つまり、バックフリップカバーの閉姿勢を維持できる。
【００４４】
（３）  前記第２カム面は、前記バックフリップカバーを開くと前記第２係合アームの押さえ部に対向する平坦な第１輪郭部と、前記バックフリップカバーを閉じると前記第２係合アームの押さえ部を前記ハウジングの段差の底面から遠ざかる方向に押す平坦な第２輪郭部と、を設けている（１）記載のコネクタ。
【００４５】
（３）の発明によるコネクタは、第２カム面が平坦な第１輪郭部と平坦な第２輪郭部を設けている。第１輪郭部は、バックフリップカバーを開くと第２係合アームの押さえ部に対向する。第２輪郭部は、バックフリップカバーを閉じると第２係合アームの押さえ部をハウジングの段差の底面から遠ざかる方向に押している。
【００４６】
バックフリップカバーが開いた状態では、支持部の第２カム面の第１輪郭部（平坦部）は、押さえ部に対向している（僅かに離間している）。第２弾性アームの先端部は第２固定アームに対して開いている。そして、ＦＰＣを無負荷で挿入できる。
【００４７】
支持部の第２カム面の第１輪郭部（平坦部）と第２輪郭部（平坦部）が交差する角部に押さえ部が当接してよく、更に前記角部に対向する対向壁の角部が段差の底面にスライドしてよく、支持部の仮想の回転中心は、段差の底面から遠ざかる方向に移動する。（３）の発明によるコネクタは、支持部が「てこ」の原理（倍力装置）を利用して押さえ部を変位させている。
【００４８】
（４）  前記第１コンタクトは、前記ハウジングの段差から前記ＦＰＣの挿入方向に延出して底面がプリント基板にハンダ接合される第１リード部を有し、前記第２コンタクトは、前記ハウジングの開口から前記ＦＰＣの反挿入方向に延出して底面が前記プリント基板にハンダ接合される第２リード部を有する（１）から（３）のいずれかに記載のコネクタ。
【００４９】
（４）の発明によるコネクタは、第１コンタクトが第１リード部を有している。第２コンタクトが第２リード部を有している。第１リード部は、ハウジングの段差からＦＰＣの挿入方向に延出して、第１リード部の底面がプリント基板にハンダ接合される。第２リード部は、ハウジングの開口からＦＰＣの反挿入方向に延出して、第２リード部の底面がプリント基板にハンダ接合される。
【００５０】
（４）の発明によるコネクタは、複数の第１及び第２リード部がプリント基板にはんだ接合されることによって、このコネクタがプリント基板に表面実装されるプリント基板用コネクタを実現している。
【００５１】
（４）の発明によるコネクタは、第１リード部と第２リード部とが相反する向きに分散されるので、第１及び第２リード部が一方向に延出している場合と比較して、第１及び第２リード部に接続されるパターン間のピッチを拡大できる。特に、パターン間のピッチが０．２ｍｍ程度の狭ピッチの場合は有効である。
【００５２】
（５）  前記第１固定アームは、前記第１弾性アームに対向する第３弾性アームを有し、前記第２固定アームは、前記第２弾性アームに対向する第４弾性アームを有する（１）から（４）のいずれかに記載のコネクタ。
【００５３】
（５）の発明によるコネクタは、第３弾性アームの先端部に接点を設けてよく、第４弾性アームの先端部に接点を設けてよく、第３弾性アーム又は第４弾性アームを適宜に設計すれば、所定の接触圧力を得ることができる。
【００５４】
（６）  前記ハウジングは、前記ＦＰＣの端部が載置される段差を前記開口に設けている（１）から（５）のいずれかに記載のコネクタ。
【００５５】
（４）の発明によるコネクタは、ＦＰＣの端部が載置される段差を開口に設けているので、ＦＰＣの開口への挿入が容易である。
【発明の効果】
【００５６】
本発明によるコネクタは、バックフリップカバーの仮想の開閉軸を第１コンタクトの受け部と第２コンタクトの押さえ部とで交互に保持しているので、仮想の開閉軸が中央部で容易に弾性変形しない。すなわち、多極のコネクタであっても、ロックカバーが容易に脱落しないバックフリップタイプのＦＰＣ用のコネクタを提供できる。
【００５７】
又、本発明によるコネクタは、バックフリップカバーが第１コンタクトの受け部と第２コンタクトの押さえ部とで交互に保持される仮想の回動軸を有しているので、従来のような、ロックカバーの回動中心の両翼を回動可能に支持する一対の補強部材を不要とするコネクタを提供できる。
【発明を実施するための最良の形態】
【００５８】
以下、図面を参照して本発明を実施するための最良の形態を説明する。
【００５９】
図１は、本発明によるＦＰＣ用のコネクタ（以下、コネクタと略称する）の一実施形態を示す斜視外観図であり、バックフリップカバーが開いた状態を開口側から観ている。図２は、前記実施形態によるコネクタを示す斜視外観図であり、バックフリップカバーが開いた状態を段差側から観ている。図３は、前記実施形態によるコネクタの斜視断面図であり、第１コンタクトの側面を断面としている。図４は、前記実施形態によるコネクタの斜視断面図であり、第２コンタクトの側面を断面としている。
【００６０】
図５は、前記実施形態によるコネクタの斜視断面図であり、第１コンタクトの側面を図３と異なる方向から観ている。図６は、前記実施形態によるコネクタの斜視断面図であり、第２コンタクトの側面を図４と異なる方向から観ている。図７は、前記実施形態によるコネクタを示す斜視外観図であり、バックフリップカバーが閉じた状態を開口側から観ている。図８は、前記実施形態によるコネクタを示す斜視外観図であり、バックフリップカバーが閉じた状態を段差側から観ている。図９は、前記実施形態によるコネクタの背面図である。図１０は、前記実施形態によるコネクタの平面図である。
【００６１】
図１１は、前記実施形態によるコネクタの縦断面図であり、第１コンタクトの側面を断面として、バックフリップカバーが開いた状態図である。図１２は、前記実施形態によるコネクタの縦断面図であり、第２コンタクトの側面を断面として、バックフリップカバーが開いた状態図である。
【００６２】
図１３は、前記実施形態によるコネクタの縦断面図であり、第１コンタクトの側面を断面として、バックフリップカバーが閉じる経過の状態図である。図１４は、前記実施形態によるコネクタの縦断面図であり、第２コンタクトの側面を断面として、バックフリップカバーが閉じる経過の状態図である。
【００６３】
図１５は、前記実施形態によるコネクタの縦断面図であり、第１コンタクトの側面を断面として、バックフリップカバーが更に閉じる経過の状態図である。図１６は、前記実施形態によるコネクタの縦断面図であり、第２コンタクトの側面を断面として、バックフリップカバーが更に閉じる経過の状態図である。
【００６４】
図１７は、前記実施形態によるコネクタの縦断面図であり、図１７（Ａ）は、第１コンタクトの側面を断面として、バックフリップカバーが閉じた状態図であり、図１７（Ｂ）は、第２コンタクトの側面を断面として、バックフリップカバーが閉じた状態図である。図１８は、前記実施形態によるコネクタの縦断面図であり、図１８（Ａ）は、第１コンタクトの側面を断面として、ＦＰＣが挿入されてバックフリップカバーが閉じた状態図であり、図１８（Ｂ）は、第２コンタクトの側面を断面として、ＦＰＣが挿入されてバックフリップカバーが閉じた状態図である。
【００６５】
図１９は、別の実施形態によるコネクタの縦断面図であり、第３弾性アームを有する第１コンタクトの側面を断面としている。図２０は、別の実施形態によるコネクタの縦断面図であり、第４弾性アームを有する第２コンタクトの側面を断面としている。
【００６６】
最初に、本発明によるコネクタの構成を説明する。図１から図１０において、コネクタ１０は、直方体状のハウジング２と矩形板状のバックフリップカバー（以下、カバーと略称する）３を備えている。ハウジング２は、一方の端部にＦＰＣ１が挿入される開口２１が形成されており、他方の端部に段差２２が形成されている。ハウジング２は、交互に並設配置される第１コンタクト４及び第２コンタクト５を内部に備えている。
【００６７】
第１コンタクト４は、第１固定アーム４１、第１弾性アーム４２、第１連結脚４３、及び第１係合アーム４４を有している。第１固定アーム４１はハウジング２に固定されている。第１弾性アーム４２は、第１固定アーム４１に対向している。第１連結脚４３は、第１固定アーム４１及び第１弾性アーム４２の基端同士を連結している。第１係合アーム４４は、第１弾性アーム４２と相反する向きに延びている。
【００６８】
第２コンタクト５は、第２固定アーム５１、第２弾性アーム５２、第２連結脚５３、及び第２係合アーム５４を有している。第２固定アーム５１はハウジング２に固定されている。第２弾性アーム５２は、第２固定アーム５１に対向している。第２連結脚５３は、第２固定アーム５１及び第２弾性アーム５２の基端同士を連結している。第２係合アーム５４は、第２弾性アーム５２と相反する向きに延びている。
【００６９】
第１係合アーム４４は、段差２２の底面２２ａと反対方向に延びる受け部４４ａを先端側に有している。第２係合アーム５４は、ハウジング２の段差２２の底面２２ａに延びる押さえ部５４ａを先端側に有している。又、カバー３は、係合部３４と支持部３５を有している。係合部３４は、段差２２の底面２２ａ側に延びて、第１係合アーム４４の受け部４４ａと係合する。支持部３５は、第２係合アーム５４の押さえ部５４ａと段差２２の底面２２ａとの間に位置して押さえ部５４ａに押さえられる。
【００７０】
図５及び図６に示されるように、カバー３には、縦長の矩形溝３１ｓと縦長の矩形溝３２ｓとが交互に形成されている。矩形溝３１ｓの終端には、円弧状の係合部３４が形成されている。又、カバー３には、受け部４４ａを介して係合部３４と対向する対向壁３６が形成されている。一方、矩形溝３２ｓの終端には、支持部３５が形成されている。又、カバー３には、押さえ部５４ａに対向する対向壁３７が形成されている。カバー３は、対向する一対の金型で成形されることにより、所望の形状を得ている。
【００７１】
ハウジング２は、ＦＰＣ１が挿入されるために、一方の端部に長方形の開口２１を有している。そして、薄直方体状の閉じられた凹部２３にＦＰＣ１が挿入される。ＦＰＣ１は、凹部２３の開口２１側から停止壁２４に向って挿入される（図１１及び図１２参照）。図１に示されるように、ＦＰＣ１の挿入を容易とするために、ＦＰＣ１の端部が載置される段差を開口２１に設けている。
【００７２】
凹部２３を形成する対向する一対の内壁がＦＰＣ１の幅方向を案内して、複数の第１及び第２コンタクト４・５と位置合わせされる。ハウジング２の凹部２３に挿入されたＦＰＣ１は、停止壁２４に当接して停止してよく、ＦＰＣ１の挿入深さが規定される。停止壁２４には、複数の第１及び第２連結脚４３・５３が配置されており、櫛の歯状に極間壁が形成されている（図１１及び図１２参照）。
【００７３】
図１１及び図１２において、第１固定アーム４１と第１弾性アーム４２とは、対向配置されている。又、第２固定アーム５１と第２弾性アーム５２とは、対向配置されている。カバー３を開いた状態では、第１固定アーム４１に対して第１弾性アーム４２は開いており、第２固定アーム５１に対して第２弾性アーム５２は開いている。コネクタ１０は、ＦＰＣ１を開口２１に挿抜するときにほとんど力を必要としない、ＺＩＦコネクタを構成している（図１参照）。
【００７４】
図５、図６、及び図９において、ハウジング２には、対向する一対の突条２２１・２２２が段差２２内に突出している。一方、カバー３には、相反する向きに突出する一対の突条３２１・３２２が両翼に突出している。カバー３を開いた状態から閉じると、一対の突条３２１・３２２が一対の突条２２１・２２２を乗り越えて、一対の突条２２１・２２２が一対の段差３２３・３２４に係合（陥没）して、カバー３の閉姿勢を維持する（図１参照）。
【００７５】
一方、カバー３を閉じた状態から開くと、一対の突起３２５・３２６が段差２２の底面２２ａに当接して、カバー３の開姿勢を維持する（図９、図１１及び図１２参照）。このように、コネクタ１０は、カバー３の閉姿勢又は開姿勢を維持するロック機構を設けている。
【００７６】
図１から図６において、ハウジング２には、段差２２から凹部２３の開口２１に向けて、縦長の矩形溝ｓ１が櫛の歯状に複数形成されており、矩形溝ｓ１に第１コンタクト４が圧入されている。又、ハウジング２には、開口２１から段差２２に向けて、縦長の矩形溝ｓ２が櫛の歯状に複数形成されており、矩形溝ｓ２に第２コンタクト５が圧入されている。第１コンタクト４と第２コンタクト５とは、交互に並設配置されている。
【００７７】
図１から図６において、これら矩形溝ｓ１・ｓ２には、第１及び第２コンタクト４・５の挿入を容易するため、挿入側に僅かに傾斜する面取りが形成している。面取り以降の矩形溝の幅は、第１及び第２コンタクト４・５の板厚より僅かに広くなっており、第１及び第２固定アーム４１・５１を除く部位がハウジング２に傾動可能に保持されている。
【００７８】
図３において、第１固定アーム４１の先端部には、バーブ４１ｖが形成されている。バーブ４１ｖは、矩形溝ｓ１の終端に食い込むように圧入されている。又、図４において、第２固定アーム５１の先端部には、バーブ５１ｖが形成されている。バーブ５１ｖは、矩形溝ｓ２の終端に食い込むように圧入されている。
【００７９】
図３又は図４において、第１固定アーム４１の基端部は、ハウジング２の底面に係止している。又、第２固定アーム５１の基端部は、ハウジング２の底面に係止している。このように、第１及び第２固定アーム４１・５１の両端は、ハウジング２に固定されている。
【００８０】
図１から図４において、第１コンタクト４は、第１固定アーム４１の基端部に第１リード部４１ａを有している。第２コンタクト５は、第２固定アーム５１の基端部に第２リード部５１ａを有している。第１リード部４１ａは、ハウジング２の段差２２からＦＰＣ１の挿入方向に延出している。第１リード部４１ａの底面は、プリント基板１ｐにハンダ接合される。第２リード部５１ａは、ハウジング２の開口２１からＦＰＣ１の反挿入方向に延出している。第２リード部５１ａの底面は、プリント基板１ｐにハンダ接合される。
【００８１】
このように構成されたコネクタ１０は、以下の手順で組み立てられる。最初に、図１１において、複数の第１コンタクト４がハウジング２に組み込まれる。ここで、第１コンタクト４は、段差２２側から開口２１に向かって矩形溝ｓ１に圧入される（図３参照）。次に、カバー３の係合部３４が第１コンタクト４の受け部４４ａに係合するように、カバー３が組み込まれる。
【００８２】
次に、図１２において、複数の第２コンタクト５がハウジング２に組み込まれて、コネクタ１０の組み立てが終了する。ここで、第２コンタクト５は、開口２１側から段差２２に向かって矩形溝ｓ２に圧入される（図４参照）。図１２に示されるように、カバー３の支持部３５が第２コンタクト５の押さえ部５４ａに押えられように、第２コンタクト５は組み込まれている。このように組み立てられたコネクタ１０は、後述するようにカバー３が容易に脱落しない構造となっている。
【００８３】
次に、本発明によるコネクタの動作及び作用を説明する。図１１及び図１２において、カバー３は、開姿勢を維持している。ここで、ハウジング２の上面とカバー３の上面とがなす角度α１は、略９０度である。カバー３の係合部３４は、仮想の回転中心Ｑを有している。カバー３の支持部３５は、仮想の回転中心Ｒを有している。仮想の回転中心Ｑと仮想の回転中心Ｒとは、一致してよく、カバー３が回動することによって、僅かにずれてもよく、互いに独立した関係になっている。
【００８４】
図１１において、Ｔ１は、第１係合アーム４４の受け部４４ａの底面と段差２２の底面２２ａとの距離である。Ｔ２は、カバー３に形成された対向壁３６の板厚である。そして、距離Ｔ１＜板厚Ｔ２の関係になっている。すなわち、カバー３が閉じることによって、受け部４４ａの底面と段差２２の底面２２ａとの間に対向壁３６が入り込み、受け部４４ａを段差２２の底面２２ａから遠ざかる方向に移動させる（図１７（Ａ）参照）。
【００８５】
図１１において、第１係合アーム４４の受け部４４ａは、半円弧を設ける半月形に形成されている。受け部４４ａの半円弧に係合部３４が係合している。カバー３を開いた状態で、カバー３を押すと、係合部３４が受け部４４ａに保持されているので、カバー３は回転する運動のみが許容される。言い換えれば、カバー３は回転する運動のみが許容されるように、受け部４４ａと係合部３４が構成されている。
【００８６】
図１１において、係合部３４は偏心した円板カムの第１カム面を設けており、第１係合アーム４４の受け部４４ａとカバー３の係合部３４とは、カム装置（平面カム）を構成している。
【００８７】
図１２において、第２係合アーム５４の押さえ部５４ａは、第２弾性アーム５２と相反する向きに片持ち梁状に突出している。そして、押さえ部５４ａに支持部３５が押さえられる。支持部３５は、押さえ部５４ａを付勢する第２カム面を設けており、第２係合アーム５４の押さえ部５４ａとカバー３の支持部３５とは、カム装置（平面カム）を構成している。
【００８８】
図１１又は図１２において、カバー３を開いた状態で、例えば、図中矢印Ｙ１の方向に、係合部３４が受け部４４ａから離反する力が作用すると、支持部３５が押さえ部５４ａによって押さえられるので、カバー３の離脱が阻止される。
【００８９】
図１１において、係合部３４の第１カム面が受け部４４ａを段差２２の底面２２ａ側に押して変位できる。そして、第１弾性アーム４２の先端部を第１固定アーム４１に対して開いている。第１弾性アーム４２と第１係合アーム４４とは一体に傾いてよく、第１連結脚４３を支点としてよく、受け部４４ａを力点としてよく、第１弾性アーム４２の先端部を作用点とすることができる。
【００９０】
図１１において、第１弾性アーム４２の先端部には、突起４２ｓを設けている。第１固定アーム４１は、突起４２ｓに対向する突起４１ｓを設けている。図１１の状態では、突起４１ｓと突起４２ｓとの離間距離がＦＰＣ１の板厚より大きいので、ＦＰＣ１を無負荷で挿入できる（図１又は図２参照）。
【００９１】
図１２において、支持部３５の第２カム面の第１輪郭部（平坦部）は、押さえ部５４ａに対向している（僅かに離間している）。第２弾性アーム５２の先端部は、第２固定アーム５１に対して開いている。第２弾性アーム５２と第２係合アーム５４とは一体に傾いてよく、第２連結脚５３を支点としてよく、押さえ部５４ａを力点としてよく、第２弾性アーム５２の先端部を作用点とすることができる。
【００９２】
図１２において、第２弾性アーム５２の先端部には、突起５２ｓを設けている。第２固定アーム５１は、突起５２ｓに対向する突起５１ｓを設けている。図１２の状態では、突起５１ｓと突起５２ｓとの離間距離がＦＰＣ１の板厚より大きいの、ＦＰＣ１を無負荷で挿入できる（図１又は図２参照）。
【００９３】
次に、図１３及び図１４は、カバー３が開いた状態から閉じる経過の状態図である。ここで、ハウジング２の上面とカバー３の上面とがなす角度α２は、略１１２度である。又、Ｔ３は、係合部３４の仮想の回転中心Ｑと段差２２の底面２２ａとの離間距離である。Ｔ４は、支持部３５の仮想の回転中心Ｒと段差２２の底面２２ａとの離間距離である。
【００９４】
図１１に示された状態と図１３に示された状態とを比較すると、カバー３の開き角が角度α１から角度α２に変化したことを除いては、作用に変化は生じていない。図１３において、受け部４４ａの半円弧は、係合部３４の第１カム面の第１輪郭部（第１円弧部）に当接しており、係合部３４の仮想の回転中心Ｑに変化は生じていない。したがって、突起４１ｓと突起４２ｓとの離間距離に変化は無く、図１３の状態においても、ＦＰＣ１を無負荷で挿入できる（図１又は図２参照）。
【００９５】
図１４において、支持部３５の第２カム面の第１輪郭部（平坦部）と第２輪郭部（平坦部）が交差する角部に押さえ部５４ａが当接しているが、支持部３５が押さえ部５４ａを付勢してはいない。したがって、押さえ部５４ａに変位が生じているわけではなく、突起５１ｓと突起５２ｓとの離間距離に変化は無く、図１４の状態においても、ＦＰＣ１を無負荷で挿入できる（図１又は図２参照）。
【００９６】
図１３又は図１４において、カバー３を閉じる過程の状態（角度α１〜角度α２の状態）で、例えば、図中矢印Ｙ２の方向に、係合部３４が受け部４４ａから離反する力が作用すると、支持部３５が押さえ部５４ａによって押さえられるので、カバー３の離脱が阻止される。
【００９７】
次に、図１５及び図１６は、カバー３が開いた状態から更に閉じる経過の状態図である。ここで、ハウジング２の上面とカバー３の上面とがなす角度α３は、略１３５度である。又、Ｔ５は、係合部３４の仮想の回転中心Ｑと段差２２の底面２２ａとの離間距離である。Ｔ６は、支持部３５の仮想の回転中心Ｒと段差２２の底面２２ａとの離間距離である。
【００９８】
図１３に示された状態と図１５に示された状態とを比較すると、図１５において、係合部３４の仮想の回転中心Ｑと段差２２の底面２２ａとの離間距離は、Ｔ３からＴ５に変化している。ここで、Ｔ３＜Ｔ５の関係になっている。すなわち、受け部４４ａは、段差２２の底面２２ａから遠ざかる方向に移動している。
【００９９】
図１５において、受け部４４ａの半円弧は、係合部３４の第１カム面の第２輪郭部（第２円弧部）に当接しており、係合部３４の仮想の回転中心Ｑは、段差２２の底面２２ａから遠ざかる方向に移動している。又、受け部４４ａの底面と段差２２の底面２２ａとの間にカバー３の対向壁３６が入り込み、受け部４４ａを段差２２の底面２２ａから遠ざかる方向に移動させている、ということもできる。
【０１００】
図１５において、第１連結脚４３が弾性変形して、第１弾性アーム４２の先端部を第１固定アーム４１に対して閉じている。すなわち、突起４１ｓと突起４２ｓとの離間距離を短縮して、ＦＰＣ１を挟持できる（図１８（Ａ）参照）。
【０１０１】
図１５において、第１弾性アーム４２と第１係合アーム４４とは、「てこ」の原理のように作用し、第１連結脚４３を支点として一体に傾けることができる。ここで、第１連結脚４３から突起４２ｓまでの距離は、第１連結脚４３から係合部３４の仮想の回転中心Ｑまでの距離より十分大きく、受け部４４ａの小さな変位を突起４２ｓの大きな変位に変換できる。
【０１０２】
図１４に示された状態と図１６に示された状態とを比較すると、図１６において、支持部３５の仮想の回転中心Ｒと段差２２の底面２２ａとの離間距離は、Ｔ４からＴ６に変化している。ここで、Ｔ４＜Ｔ６の関係になっている。すなわち、押さえ部５４ａは、段差２２の底面２２ａから遠ざかる方向に移動している。
【０１０３】
図１６において、支持部３５の第２カム面の第１輪郭部（平坦部）と第２輪郭部（平坦部）が交差する角部に押さえ部５４ａが当接しており、更に前記角部に対向する対向壁３７の角部が段差２２の底面２２ａにスライドして、支持部３５の仮想の回転中心Ｒは、段差２２の底面２２ａから遠ざかる方向に移動している。又、押さえ部５４ａの底面と段差２２の底面２２ａとの間にカバー３の対向壁３７が入り込み、押さえ部５４ａを段差２２の底面２２ａから遠ざかる方向に移動させている、ということもできる。
【０１０４】
図１６において、第２連結脚５３が弾性変形して、第２弾性アーム５２の先端部を第２固定アーム５１に対して閉じている。すなわち、突起５１ｓと突起５２ｓとの離間距離を短縮して、ＦＰＣ１を挟持できる（図１８（Ｂ）参照）。
【０１０５】
図１６において、第２弾性アーム５２と第２係合アーム５４とは、「てこ」の原理のように作用し、第２連結脚５３を支点として一体に傾けることができる。ここで、第２連結脚５３から突起５２ｓまでの距離は、第２連結脚５３から支持部３５の仮想の回転中心Ｒまでの距離より十分大きく、押さえ部５４ａの小さな変位を突起５２ｓの大きな変位に変換できる。
【０１０６】
図１５又は図１６において、カバー３を更に閉じる過程の状態（角度α２〜角度α３の状態）で、例えば、図中矢印Ｙ３の方向に、係合部３４が受け部４４ａから離反する力が作用すると、支持部３５が押さえ部５４ａによって押さえられるので、又、係合部３４が受け部４４ａによって押さえられるのでカバー３の離脱が阻止される。
【０１０７】
図１７は、カバー３が完全に閉じられた状態図である。図１７（Ａ）において、対向壁３６は、受け部４４ａに付勢されてカバー３を段差２２の底面２２ａに当接させている。つまり、カバー３の閉姿勢を維持している。図１７（Ｂ）において、対向壁３７は、押さえ部５４ａに付勢されてカバー３を段差２２の底面２２ａに当接させている。つまり、カバー３の閉姿勢を維持している。
【０１０８】
図１７に示された状態からカバー３を開くと、図１１及び図１２に示されたカバー３の開状態に至ることができる。本発明によるコネクタは、カバー３を閉じた状態から開く過程と、カバー３を開いた状態から閉じる過程に違いは無く、可逆的にカバー３を開閉できる。
【０１０９】
図１８は、ＦＰＣ１を挿入して、カバー３を完全に閉じた状態図である。図１８（Ａ）において、第１固定アーム４１と第１弾性アーム４２との間にＦＰＣ１が挿入されて、カバー３を閉じると、第１弾性アーム４２には、時計方向に回転する力が作用する。ここで、第１弾性アーム４２は、基端部から先端部に向けて、断面２次モーメントが漸次、低減するようにその形状が決定されている。したがって、第１弾性アーム４２の先端部が撓み、突起４２ｓは所定の圧力（接触力）をＦＰＣ１に付与できる。
【０１１０】
図１８（Ｂ）において、第２固定アーム５１と第２弾性アーム５２との間にＦＰＣ１が挿入されて、カバー３を閉じると、第２弾性アーム５２には、時計方向に回転する力が作用する。ここで、第２弾性アーム５２は、基端部から先端部に向けて、断面２次モーメントが漸次、低減するようにその形状が決定されている。したがって、第２弾性アーム５２の先端部が撓み、突起５２ｓは所定の圧力（接触力）をＦＰＣ１に付与できる。
【０１１１】
図１８において、突起４１ｓと突起４２ｓのいずれか一方をＦＰＣ１に接続する接点としてよく、突起５１ｓと突起５２ｓのいずれか一方をＦＰＣ１に接続する接点にできる。例えば、突起４２ｓと突起５１ｓを接点としてよく、コネクタ１０を両面ＦＰＣ用のコネクタとすることもできる。
【０１１２】
本発明によるコネクタは、バックフリップカバーの仮想の開閉軸を第１コンタクトの受け部と第２コンタクトの押さえ部とで交互に保持しているので、仮想の開閉軸が軸方向の中央部で容易に弾性変形しない。すなわち、多極のコネクタであっても、ロックカバーが容易に脱落しないバックフリップタイプのＦＰＣ用のコネクタを提供できる。
【０１１３】
又、本発明によるコネクタは、バックフリップカバーが第１コンタクトの受け部と第２コンタクトの押さえ部とで交互に保持される仮想の回動軸を有しているので、従来のような、ロックカバーの回動中心の両翼を回動可能に支持する一対の補強部材を不要とするコネクタを提供できる。
【０１１４】
更に、本発明によるコネクタは、複数の第１及び第２リード部がプリント基板にはんだ接合されることによって、このコネクタがプリント基板に表面実装されるプリント基板用コネクタを実現している。
【０１１５】
次に、別の実施形態によるコネクタ１００の構成を説明する。なお、先の図面で使用した同符号の構成品は作用を同一とするので説明を割愛する。図１９又は図２０において、第１固定アーム４１は、第１弾性アーム４２に対向する第３弾性アーム４５を有し、第２固定アーム５１は、第２弾性アーム５２に対向する第４弾性アーム５５を有している。
【０１１６】
別の実施形態によるコネクタ１００は、第３弾性アーム４５の先端部を接点としてよく、第４弾性アーム５５の先端部を接点としてよく、いずれか一方を接点とすることができる。第３弾性アーム４５又は第４弾性アーム５５を適宜に設計すれば、ＦＰＣ１に対して所定の接触圧力を得ることができる。
【図面の簡単な説明】
【０１１７】
【図１】本発明によるＦＰＣ用のコネクタの一実施形態を示す斜視外観図であり、バックフリップカバーが開いた状態を開口側から観ている。
【図２】前記実施形態によるコネクタを示す斜視外観図であり、バックフリップカバーが開いた状態を段差側から観ている。
【図３】前記実施形態によるコネクタの斜視断面図であり、第１コンタクトの側面を断面としている。
【図４】前記実施形態によるコネクタの斜視断面図であり、第２コンタクトの側面を断面としている。
【図５】前記実施形態によるコネクタの斜視断面図であり、第１コンタクトの側面を図３と異なる方向から観ている。
【図６】前記実施形態によるコネクタの斜視断面図であり、第２コンタクトの側面を図４と異なる方向から観ている。
【図７】前記実施形態によるコネクタを示す斜視外観図であり、バックフリップカバーが閉じた状態を開口側から観ている。
【図８】前記実施形態によるコネクタを示す斜視外観図であり、バックフリップカバーが閉じた状態を段差側から観ている。
【図９】前記実施形態によるコネクタの背面図である。
【図１０】前記実施形態によるコネクタの平面図である。
【図１１】前記実施形態によるコネクタの縦断面図であり、第１コンタクトの側面を断面として、バックフリップカバーが開いた状態図である。
【図１２】前記実施形態によるコネクタの縦断面図であり、第２コンタクトの側面を断面として、バックフリップカバーが開いた状態図である。
【図１３】前記実施形態によるコネクタの縦断面図であり、第１コンタクトの側面を断面として、バックフリップカバーが閉じる経過の状態図である。
【図１４】前記実施形態によるコネクタの縦断面図であり、第２コンタクトの側面を断面として、バックフリップカバーが閉じる経過の状態図である。
【図１５】前記実施形態によるコネクタの縦断面図であり、第１コンタクトの側面を断面として、バックフリップカバーが更に閉じる経過の状態図である。
【図１６】前記実施形態によるコネクタの縦断面図であり、第２コンタクトの側面を断面として、バックフリップカバーが更に閉じる経過の状態図である。
【図１７】前記実施形態によるコネクタの縦断面図であり、図１７（Ａ）は、第１コンタクトの側面を断面として、バックフリップカバーが閉じた状態図であり、図１７（Ｂ）は、第２コンタクトの側面を断面として、バックフリップカバーが閉じた状態図である。
【図１８】前記実施形態によるコネクタの縦断面図であり、図１８（Ａ）は、第１コンタクトの側面を断面として、ＦＰＣが挿入されてバックフリップカバーが閉じた状態図であり、図１８（Ｂ）は、第２コンタクトの側面を断面として、ＦＰＣが挿入されてバックフリップカバーが閉じた状態図である。
【図１９】別の実施形態によるコネクタの縦断面図であり、第３弾性アームを有する第１コンタクトの側面を断面としている。
【図２０】別の実施形態によるコネクタの縦断面図であり、第４弾性アームを有する第２コンタクトの側面を断面としている。
【符号の説明】
【０１１８】
１  ＦＰＣ
２  ハウジング
３  バックフリップカバー（カバー）
４  第１コンタクト
５  第２コンタクト
１０・１００  コネクタ
２１  開口
２２  段差
２２ａ  段差の底面
３４  係合部
３５  支持部
４１・５１  第１及び第２固定アーム
４２・５２  第１及び第２弾性アーム
４３・５３  第１及び第２連結脚
４４・５４  第１及び第２係合アーム
４４ａ  受け部
５４ａ  押さえ部
【図１】
2008300340.tif 000003
【図２】
2008300340.tif 000004
【図３】
2008300340.tif 000005
【図４】
2008300340.tif 000006
【図５】
2008300340.tif 000007
【図６】
2008300340.tif 000008
【図７】
2008300340.tif 000009
【図８】
2008300340.tif 000010
【図９】
2008300340.tif 000011
【図１０】
2008300340.tif 000012
【図１１】
2008300340.tif 000013
【図１２】
2008300340.tif 000014
【図１３】
2008300340.tif 000015
【図１４】
2008300340.tif 000016
【図１５】
2008300340.tif 000017
【図１６】
2008300340.tif 000018
【図１７】
2008300340.tif 000019
【図１８】
2008300340.tif 000020
【図１９】
2008300340.tif 000021
【図２０】
2008300340.tif 000022